【事件の表示】
　平成１１年商標登録願第６８９９０号拒絶査定に対する審判事件について、次のとおり審決する。
【結　論】
　原査定を取り消す。
　本願商標は、登録すべきものとする。
【理　由】
１　本願商標
　本願商標は、「ＭＡＲＩＥ−ＡＮＮＥ　ＣＡＮＴＩＮ」の文字を標準文字で書してなり、願書に記載のとおりの商品を指定商品として、平成１１年７月２９日に登録出願されたものであるが、その後、指定商品については、同１２年８月３１日付けの手続補正書、同１３年１月１５日付けの手続補正書及び当審における平成１３年７月２日提出の手続補正書により補正された結果、第２９類「チーズ」となったものである。
　
２　引用商標
　原査定において、本願の拒絶の理由に引用した商標は、以下（１）ないし（１０）のとおりである。
（１）登録第１１９１８５７号商標（以下「引用Ａ商標」という。」）は、「アリアンヌ」の片仮名文字を横書きしてなり、昭和４７年８月１７日に登録出願、第３１類「みそ、しようゆ、食酢、ウースターソース、ケチヤツプ、マヨネーズソース、ドレツシング、酢の素、ホワイトソース、食塩、ごま塩、すりごま、化学調味料、ホツプ、香辛料、食用油脂、乳製品」を指定商品として、同５１年３月２９日に設定登録、その後、同６１年５月２１日、平成８年７月３０日の２回に亘り、商標権存続期間の更新登録がなされ、現に有効に存続しているものである。
（２）登録第１５２２９２９号商標（以下「引用Ｂ商標」という。）は、「ＭＡＲＩＡＮ」の欧文字を横書きしてなり、昭和５４年１０月１２日に登録出願、第３１類「調味料、香辛料、食用油脂、乳製品」を指定商品として、同５７年６月２９日に設定登録されたものであるが、平成１４年６月２９日に存続期間満了により消滅し、その登録の抹消が同１５年３月５日になされたものである。
（３）登録第１８５９３９５号商標（以下「引用Ｃ商標」という。）は、「キャンティ」の片仮名文字を横書きしてなり、昭和５３年６月１５日に登録出願、第３１類「調味料、香辛料、食用油脂、乳製品」を指定商品として、同６１年４月２３日に設定登録、その後、平成８年２月２８日に商標権存続期間の更新登録がなされ、現に有効に存続しているものである。
（４）登録第１８５９３９６号商標（以下「引用Ｄ商標」という。）は、「ＣＨＩＡＮＴＩ」の欧文字を横書きしてなり、昭和５３年６月１５日に登録出願、第３１類「調味料、香辛料、食用油脂、乳製品」を指定商品として、同６１年４月２３日に設定登録、その後、平成８年２月２８日に商標権存続期間の更新登録がなされ、現に有効に存続しているものである。
（５）登録第２２１０７６７号商標（以下「引用Ｅ商標」という。）は、「キャンティ」の片仮名文字を横書きしてなり、昭和５３年６月１５日に登録出願、第３２類「食肉、卵、食用水産物、野菜、果実、加工食料品」を指定商品として、平成２年２月２３日に設定登録、その後、平成１２年５月９日に商標権存続期間の更新登録がなされ、現に有効に存続しているものである。
（６）登録第２２９２３１５号商標（以下「引用Ｆ商標」という。）は、「マリアン」の片仮名文字と「ＭＡＲＩＡＮ」の欧文字を上下二段に書してなり、昭和６３年１２月２８日に登録出願、第３１類「調味料、香辛料、食用油脂、乳製品」を指定商品として、平成２年１２月２６日に設定登録されたものであるが、同１２年１２月２６日に存続期間満了により消滅し、同１３年９月５日にその登録の抹消がなされたものである。
（７）登録第２４０３４５８号商標（以下「引用Ｇ商標」という。）は、「マリアンヌ」の片仮名文字と「ＭＡＲＩＡＮＮＥ」の欧文字を上下二段に書してなり、平成１年２月１５日に登録出願、第３２類「加工食料品、その他本類に属する商品」を指定商品として、同４年４月３０日に設定登録されたものであるが、同１４年４月３０日に存続期間満了により消滅し、その登録の抹消が同１５年１月８日になされたものである。
（８）登録第３１３９１８４号商標（以下「引用Ｈ商標」という。）は、「マリアンヌ」の片仮名文字と「ＭＡＲＩＡＮＮＥ」の欧文字を上下二段に書してなり、平成５年４月１６日に登録出願、第３１類「飼料，種子類，花，木，飼料用たんぱく」を指定商品として、同８年４月３０日に設定登録され、現に有効に存続しているものである。
（９）登録第３２４１７６９号商標（以下「引用Ｉ商標」という。」は、「感嘆」の漢字を縦書きしてなり、平成５年９月８日に登録出願、第３１類「加工釣り餌・活き餌・その他の釣り用餌，あわ，きび，ごま，そば，とうもろこし，ひえ，麦，もろこし，うるしの実，コプラ，麦芽，未加工のコルク，やしの葉，食用魚介類（生きているものに限る。），海藻類，獣類・魚類（食用のものを除く。）・鳥類及び昆虫類（生きているものに限る。），蚕種，種繭，種卵，果実，野菜，糖料作物，種子類，飼料用たんぱく」を指定商品として、同８年１２月２５日に設定登録され、現に有効に存続しているものである。
（１０）登録第４４０９４７４号商標（以下「引用Ｊ商標」という。）は、「マリアン」の片仮名文字と「ＭＡＲＩＡＮ」の欧文字を上下二段に書してなり、平成１１年６月１１日に登録出願、第２９類「加工野菜及び加工果実，冷凍果実，冷凍野菜，乳製品，食用油脂，カレー・シチュー又はスープのもと，油揚げ，凍り豆腐，こんにゃく，豆乳，豆腐，納豆」を指定商品として、同１２年８月１８日に設定登録され、現に有効に存続しているものである。
　　
３　当審の判断
　本願商標は、その指定商品について上記１のとおり補正された結果、引用Ｅ商標、引用Ｈ商標及び引用Ｉ商標と同一又は類似の商品は、すべて削除されたものと認められる。
　よって、本願商標と引用Ｅ商標、引用Ｈ商標及び引用Ｉ商標とは、商標の類否について論ずるまでもなく、指定商品において抵触しないものとなった。
　さらに、引用Ｂ商標、引用Ｆ商標及び引用Ｇ商標の商標権は、上記２のとおり、それぞれ登録の抹消がなされているものである。
　してみれば、前記の引用Ｂ商標、引用Ｅ商標、引用Ｆ商標、引用Ｇ商標、引用Ｈ商標及び引用Ｉ商標を引用して、本願商標を商標法第４条第１項第１１号に該当するとした原査定の拒絶の理由は解消した。
　そこで、本願商標と引用Ａ商標、引用Ｃ商標、引用Ｄ商標及び引用Ｊ商標との類否について検討する。
　本願商標は、上記のとおり、「ＭＡＲＩＥ−ＡＮＮＥ　ＣＡＮＴＩＮ」の欧文字よりなるところ、前半の「ＭＡＲＩＥ」と中間の「ＡＮＮＥ」とは、ハイフンで連綴されており、また、前半の「ＭＡＲＩＥ−ＡＮＮＥ」と、後半の「ＣＡＮＴＩＮ」の間には、１字程度の間隔があるとしても、構成各文字は同じ書体、同じ大きさで表されており、外観上まとまりよく一体に構成されているものである。
　そして、「ＭＡＲＩＥ−ＡＮＮＥ」は、外国人の女子名「マリ（ー）アンヌ」を欧文字で表したものとして理解されるものであるところから、これに続く「ＣＡＮＴＩＮ」は、外国人の姓を表すものとして認識されるとみるのが相当であるから、本願商標は、構成文字全体をもって、外国人の姓名を表すものとして把握されるとみるのが自然である。
　してみると、本願商標は、構成文字に相応して、「マリ（ー）アンヌカンタン」あるいは「マリ（ー）アンヌキャンティン」の称呼のみを生ずるものとするのが相当である。
　他方、引用Ａ商標は、上記のとおり、「アリアンヌ」の文字よりなるので、これより「アリアンヌ」の称呼を生ずるものである。
　つぎに、引用Ｃ商標及び引用Ｄ商標は、上記のとおり、前者が「キャンティ」、後者が「ＣＨＩＡＮＴＩ」の文字よりなるので、共に「キャンティ」の称呼を生ずるものである。
　また、引用Ｊ商標は、上記のとおり、「マリアン」、「ＭＡＲＩＡＮ」の文字よりなるので、これより「マリアン」の称呼を生ずるものである。
　そうすると、本願商標の称呼「マリ（ー）アンヌカンタン」あるいは「マリ（ー）アンヌキャンティン」と、引用Ａ商標の称呼「アリアンヌ」、引用Ｃ商標と引用Ｄ商標の称呼「キャンティ」及び引用Ｊ商標の称呼「マリアン」とは、構成音数に顕著な差異を有するものであるから、互いに紛れるおそれはない。
　さらに、本願商標と、引用Ａ商標、引用Ｃ商標、引用Ｄ商標及び引用Ｊ商標とは、外観において区別できるものであり、また、観念においては、本願商標は、外国人の姓名として認識されるのに対し、引用Ａ商標、引用Ｃ商標、引用Ｄ商標及び引用Ｊ商標は、いずれも特定の語義を有しない造語というべきものであるから、両者を比較することができない。
　したがって、本願商標と、引用Ａ商標、引用Ｃ商標、引用Ｄ商標及び引用Ｊ商標とは、外観、称呼及び観念のいずれの点においても類似しないものであるから、本願商標を商標法第４条第１項第１１号に該当するとした原査定は妥当ではなく、取消しを免れない。
　その他、本願について拒絶の理由を発見しない。
　よって、結論のとおり審決する。